(57)【要約】【課題】翻訳メモリから過去の翻訳文を抽出（引当）・流用可能な翻訳ツールを用いた翻訳作業の適正な納期、翻訳作業スケジュールを設定・算出する翻訳支援装置等を提供する。【解決手段】本発明に係る翻訳支援装置は、翻訳原文とマッチ率毎に対応する係数値を規定した係数テーブルと総ワード数毎に対応する納期日数値を規定した納期テーブルとを記憶した記憶手段と、過去翻訳文と当該翻訳文に対応する過去翻訳原文とを蓄積した翻訳メモリとを有し、翻訳原文の第１文章と過去翻訳原文内の第２文章とを比較しマッチ率を算出し、マッチ率が算出された第１文章内のワード数をカウントしマッチ率毎のワード数を集計し、マッチ率毎のワード数に対し係数テーブルのマッチ率毎に対応する係数値を乗算しマッチ率毎のワード数を補正し、補正されたマッチ率毎のワード数を全て加算し翻訳原文内の総ワード数を算出し、納期テーブルの総ワード数に対応する納期日数値を設定する。【選択図】図１１
2012181571.tif 000002
【特許請求の範囲】
【請求項１】
管理端末及び翻訳作業端末とネットワークを介し接続され、翻訳業務の一連のプロセスを管理するとともに、翻訳対象となる翻訳原文の所定言語への翻訳作業を支援する翻訳支援装置であって、
翻訳対象となる翻訳原文と、マッチ率毎に対応する係数値を規定した係数テーブルと、総ワード数毎に対応する納期日数値を規定した納期テーブルとを記憶した記憶手段と、
過去に翻訳者により翻訳された過去翻訳文と当該翻訳文に対応する過去翻訳原文とを関連付けて蓄積した翻訳メモリと、
前記記憶手段の翻訳原文内の第１文章と、前記翻訳メモリの過去翻訳原文内の第２文章とを比較し、両文章の一致の程度に応じて、前記第１文章の前記第２文章に対するマッチ率を算出するマッチ率算出手段と、
前記マッチ率算出手段によりマッチ率が算出された前記第１文章内のワード数をカウントすることにより、マッチ率毎のワード数を集計する集計手段と、
前記集計手段により集計されたマッチ率毎のワード数に対し、前記係数テーブルに規定されたマッチ率毎に対応する係数値を乗算することにより、マッチ率毎のワード数を補正する補正手段と、
前記補正手段により補正されたマッチ率毎のワード数を全て加算することにより、前記翻訳原文内の総ワード数を算出する総ワード数算出手段と、
前記納期テーブルから、前記総ワード数算出手段により算出された総ワード数に対応する納期日数値を取得し、該納期日数値を前記翻訳原文の翻訳納期として設定する納期設定手段と、
を有することを特徴とする翻訳支援装置。
【請求項２】
前記納期設定手段により設定された前記翻訳原文の設定納期と、該翻訳原文が実際に納入された実績納期とを対応付けて、複数の翻訳実績を管理する管理手段と、
を有し、
前記設定納期及び前記実績納期毎の差分値を算出し、前記複数の翻訳実績の平均差分値が、所定閾値を超える場合、前記係数テーブルの係数値を修正すること、
を特徴とする請求項１記載の翻訳支援装置。
【請求項３】
前記管理手段は、前記翻訳原文の設定納期と、該翻訳原文が実際に納入された実績納期とともに、少なくとも翻訳会社又は翻訳言語のいずれかを対応付けて管理し、
前記記憶手段は、少なくとも前記翻訳会社毎又は前記翻訳言語毎のいずれかの前記納期テーブルを記憶したこと、
を特徴とする請求項２記載の翻訳支援装置。
【請求項４】
管理端末及び翻訳作業端末とネットワークを介し接続され、翻訳業務の一連のプロセスを管理するとともに、翻訳対象となる翻訳原文の所定言語への翻訳作業を支援し、翻訳支援装置における翻訳納期設定方法であって、
翻訳対象となる翻訳原文と、マッチ率毎に対応する係数値を規定した係数テーブルと、総ワード数毎に対応する納期日数値を規定した納期テーブルとを記憶手段から読み出すテーブル読出手順と、
過去に翻訳者により翻訳された過去翻訳文と当該翻訳文に対応する過去翻訳原文とを翻訳メモリから読み出す翻訳文読出手順と、
前記記憶手段の翻訳原文内の第１文章と、前記翻訳メモリの過去翻訳原文内の第２文章とを比較し、両文章の一致の程度に応じて、前記第１文章の前記第２文章に対するマッチ率を算出するマッチ率算出手順と、
前記マッチ率算出手順によりマッチ率が算出された前記第１文章内のワード数をカウントすることにより、マッチ率毎のワード数を集計する集計手順と、
前記集計手順により集計されたマッチ率毎のワード数に対し、前記係数テーブルに規定されたマッチ率毎に対応する係数値を乗算することにより、マッチ率毎のワード数を補正する補正手順と、
前記補正手順により補正されたマッチ率毎のワード数を全て加算することにより、前記翻訳原文内の総ワード数を算出する総ワード数算出手順と、
前記納期テーブルから、前記総ワード数算出手順により算出された総ワード数に対応する納期日数値を取得し、該納期日数値を前記翻訳原文の翻訳納期として設定する納期設定手順と、
を有することを特徴とする翻訳納期設定方法。
【請求項５】
請求項４記載の翻訳納期設定方法をコンピュータに実行させるためのプログラム。
【発明の詳細な説明】
【技術分野】
【０００１】
本発明は、翻訳支援装置、翻訳納期設定方法及びプログラムの分野に関する。
【背景技術】
【０００２】
ＯＡ機器等、外国に輸出されることを前提として生産される製品では、そのマニュアルについても輸出先の外国語に翻訳したマニュアルを用意する必要があるため、原文マニュアル（例えば英語）から、翻訳文（例えば各国言語）への翻訳作業が必要となる。
【０００３】
従来よりメーカーが翻訳業者に翻訳業務を発注するに際し、原文の製作から、翻訳発注、翻訳、校正、納品、最終的な製本、請求に至るまで、マニュアル翻訳業務の一連のプロセスを例えばＷｅｂ上で一元管理可能な翻訳支援システムが知られている（特許文献１、２参照）。
【０００４】
このような翻訳支援システムを利用した翻訳業務においては、一般に（１）メーカーによる原文の製作、（２）メーカーによる翻訳業者への翻訳業務の発注、（３）翻訳業者による原文の翻訳作業、（４）メーカーの校正者による翻訳文の校正作業、（５）翻訳文の納品、（６）ＤＴＰ（Desktop Publishing）の作業、（７）メーカーから翻訳業者への翻訳料支払い、といった各作業プロセス（工程）を経る。
【０００５】
（１）まずメーカーは原文マニュアルを製作する。原文は例えば日本語のものが考えられるが、世界各国の多言語に翻訳される必要がある場合、英語の原文マニュアルが製作される場合も多い。
【０００６】
（２）メーカーは、原文マニュアルの翻訳を行うにあたり、翻訳支援システムを通じて翻訳料の見積り等を行いながら、翻訳業者の選定を行う。そしてメーカーは選定した翻訳業者に翻訳業務を発注する。またこのとき、翻訳作業量に応じて一定期間の納期が設定される。
【０００７】
（３）メーカーから、翻訳支援システムを通じて翻訳対象となるマニュアルの原文を受け取った翻訳業者は、これを適宜区分し、各翻訳者に割り当てる。各翻訳者は、自己に割り当てられた原文マニュアルを翻訳する。このとき翻訳者は翻訳支援システムにＷｅｂブラウザを介してアクセスし、Ｗｅｂ画面上において、翻訳支援システムにより提供される翻訳メモリ（後述）を利用して効率的に翻訳作業を行う。納期をめどに各翻訳者による翻訳がすべて完了したところで、翻訳された各翻訳文は、翻訳支援システムを通じてメーカーに提出される。
【０００８】
（４）メーカーの校正者は、翻訳支援システムのＷｅｂ画面上において、翻訳ミスなどがないかどうか、翻訳者により翻訳されたその翻訳文を確認、校正する。翻訳文に翻訳ミスなどの誤りがあれば、校正者自ら誤り箇所を校正する。またもしくは誤り箇所を翻訳業者へ連絡し、翻訳者は、連絡された誤り箇所に基づいて、翻訳文を訂正し、校正後の翻訳文を再び提出する。
【０００９】
（５）校正を経た後、作成された翻訳文（翻訳済みマニュアル）は、最終的に翻訳業者からメーカーへ正式に納品される。
【００１０】
（６）メーカー（又は翻訳業者でもよい）は、最終的な翻訳文（翻訳済みマニュアル）を所定のＤＴＰソフトに基づいて編集し、編集後の翻訳文をＰＤＦファイルとして出力する。
【００１１】
（７）最後に、メーカーは翻訳支援システムを利用して翻訳実績に基づく支払帳票を出力し、その支払帳票に基づき翻訳業者へ翻訳料（代金）を支払う。なお翻訳料は一般に、翻訳ワード数にワード単価を乗じた金額がベースとなって計算されることが多い。
【００１２】
以上のように翻訳支援システムでは、一連の上記プロセスをＷｅｂ上で一元管理可能できるようになっている。またさらに、翻訳支援システムは翻訳業務や校正業務において作業者が作業を効率的に行えるよう、以下のような各種支援ツールを提供している。
【００１３】
例えば、翻訳者は、いわゆる翻訳メモリを搭載したこの翻訳ツールを用いて翻訳作業を効率的に進めることができる。翻訳メモリは、翻訳者らにより過去に翻訳された翻訳文（翻訳データ）と翻訳対象となった原文と関連付けて随時蓄積しているＤＢ（データベース）である。この翻訳メモリを搭載した翻訳ツールを用いれば、過去に同一又は近似する原文について翻訳を行った翻訳文については、これを翻訳メモリから抽出（引当）・流用し、自動変換させることができ、翻訳者は、自動変換されていない箇所のみを新規に翻訳していけばよいため、翻訳を効率化することができる。
【００１４】
また例えば、上記翻訳ツールを用いた翻訳における校正作業に際し、翻訳者により新規に翻訳された部分、即ち翻訳メモリの内容に基づいて自動変換した流用部分以外についてのみ校正の有無を確認すれば効率的である。従って各翻訳者が上記翻訳メモリを搭載した翻訳ツールにより翻訳した翻訳文を校正（確認）する際、当該翻訳メモリからの流用箇所と、当該翻訳者が新規に翻訳した箇所を識別可能に編集できる校正ツールにより、メーカーの翻訳校正者は、翻訳者が新規に翻訳した箇所だけを確認することで、校正作業を効率化できる。
【発明の概要】
【発明が解決しようとする課題】
【００１５】
ここで上述の如く、翻訳者は翻訳メモリを搭載した翻訳ツールを用いれば、過去に同一又は近似する原文について翻訳を行った翻訳文については、これを翻訳メモリから抽出（引当）・流用し、自動変換させることができ、翻訳者は自動変換されていない箇所のみを新規に翻訳していけばよい。
【００１６】
ここで（２）の納期に関し、従来より翻訳対象のマニュアル原文の総ワード数に基づき設定されることが通例である。納期は翻訳者の作業量に応じて設定されるところ、作業量が多ければ比較的長期間の納期が設定され、逆に作業量が少なければ比較的短期間の納期が設定される。具体的に従来は翻訳発注時、翻訳対象の総ワード数でもってその作業量を計ることで納期を設定していた。
【００１７】
しかしながら、翻訳者は翻訳メモリを搭載した翻訳ツールを用いることを考慮すると、翻訳対象の総ワード数でもってその作業量を計る従来方法は適切でない場合がある。例えば翻訳対象の総ワード数が１４０００ワードであった場合、２０００ワードが１日作業量との目安からすると、納期は７日と設定されることになる。しかし翻訳者が翻訳メモリを搭載した翻訳ツールを用い翻訳作業を行うと、翻訳メモリからある程度の過去の翻訳文を抽出（引当）・流用でき自動変換させることができるため、そのような部分については翻訳の労力を要さず、翻訳者は自動変換されていない箇所のみを新規に翻訳していけばよい。従ってこの場合には、実質的な翻訳者の作業量を考慮しても、７日よりも少し短縮した納期を設定しうる。このように従来の単純な総ワード数に基づく納期設定方法では、必ずしも適正な納期を設定しているとはいえない点があった。
【００１８】
そこで本発明では上記のような問題に鑑み、翻訳メモリから過去の翻訳文を抽出（引当）・流用可能な翻訳ツールを用いた翻訳作業の適正な納期、翻訳作業スケジュールを設定・算出する翻訳支援装置、翻訳納期設定方法及びプログラムを提供することを目的とする。
【課題を解決するための手段】
【００１９】
上記課題を解決するため、本発明に係る翻訳支援装置は、管理端末及び翻訳作業端末とネットワークを介し接続され、翻訳業務の一連のプロセスを管理するとともに、翻訳対象となる翻訳原文の所定言語への翻訳作業を支援する翻訳支援装置であって、翻訳対象となる翻訳原文と、マッチ率毎に対応する係数値を規定した係数テーブルと、総ワード数毎に対応する納期日数値を規定した納期テーブルとを記憶した記憶手段と、過去に翻訳者により翻訳された過去翻訳文と当該翻訳文に対応する過去翻訳原文とを関連付けて蓄積した翻訳メモリと、前記記憶手段の翻訳原文内の第１文章と、前記翻訳メモリの過去翻訳原文内の第２文章とを比較し、両文章の一致の程度に応じて、前記第１文章の前記第２文章に対するマッチ率を算出するマッチ率算出手段と、前記マッチ率算出手段によりマッチ率が算出された前記第１文章内のワード数をカウントすることにより、マッチ率毎のワード数を集計する集計手段と、前記集計手段により集計されたマッチ率毎のワード数に対し、前記係数テーブルに規定されたマッチ率毎に対応する係数値を乗算することにより、マッチ率毎のワード数を補正する補正手段と、前記補正手段により補正されたマッチ率毎のワード数を全て加算することにより、前記翻訳原文内の総ワード数を算出する総ワード数算出手段と、前記納期テーブルから、前記総ワード数算出手段により算出された総ワード数に対応する納期日数値を取得し、該納期日数値を前記翻訳原文の翻訳納期として設定する納期設定手段と、を有することを特徴とする。
【００２０】
また上記課題を解決するため、上記翻訳支援装置においては、前記納期設定手段により設定された前記翻訳原文の設定納期と、該翻訳原文が実際に納入された実績納期とを対応付けて、複数の翻訳実績を管理する管理手段と、を有し、前記設定納期及び前記実績納期毎の差分値を算出し、前記複数の翻訳実績の平均差分値が、所定閾値を超える場合、前記係数テーブルの係数値を修正すること、を特徴とする。
【００２１】
また上記課題を解決するため、上記翻訳支援装置においては、前記管理手段は、前記翻訳原文の設定納期と、該翻訳原文が実際に納入された実績納期とともに、少なくとも翻訳会社又は翻訳言語のいずれかを対応付けて管理し、前記記憶手段は、少なくとも前記翻訳会社毎又は前記翻訳言語毎のいずれかの前記納期テーブルを記憶したこと、を特徴とする。
【００２２】
なお、本発明の構成要素、表現または構成要素の任意の組合せを、方法、装置、システム、コンピュータプログラム、記録媒体、などに適用したものも本発明の態様として有効である。
【発明の効果】
【００２３】
本発明によれば、翻訳メモリから過去の翻訳文を抽出（引当）・流用可能な翻訳ツールを用いた翻訳作業の適正な納期、翻訳作業スケジュールを設定・算出する翻訳支援装置、翻訳納期設定方法及びプログラムを提供することができる。
【図面の簡単な説明】
【００２４】
【図１】本実施形態に係る翻訳支援システム１００の構成図である。
【図２】翻訳支援サーバ１０の一実施形態の主要構成を示すハードウェア構成図である。
【図３】本実施形態に係る翻訳支援サーバ１０の一実施形態の主要機能を示す機能ブロック図である。
【図４】発注用画面例を示す。
【図５】翻訳用画面の一例を示す。
【図６】係数テーブル３２の一例を示す。
【図７】納期テーブル３３の一例を示す。
【図８】納期算出処理を説明するフローチャートである。
【図９】マッチ率算出例を示す。
【図１０】マッチ率毎のワード数集計結果例を示す。
【図１１】マッチ率毎のワード数補正例を示す。
【図１２】マッチ率毎の補正後のワード数例を示す。
【図１３】納入実績記録例を示す。
【図１４】翻訳会社毎の係数テーブル３２例を示す。
【図１５】翻訳言語毎の係数テーブル３２例を示す。
【発明を実施するための形態】
【００２５】
以下、本発明を実施するための形態を各実施形態において図面を用いて説明する。なお本実施形態においては、本発明を翻訳メモリから過去の翻訳文を抽出（引当）・流用可能な翻訳ツール（翻訳機能）を提供する翻訳支援装置に適用した例を示す。本発明は翻訳メモリから過去の翻訳文を抽出（引当）・流用可能な翻訳ツールを用いて翻訳作業を行う場合の適正な納期、翻訳作業スケジュールを設定・算出する装置を提供するものであるためである。
【００２６】
[システム構成]
（全体構成）
はじめに、具体的な発明の内容を説明する前に、本発明を実施するにあたっての全体構成について説明する。図１は、本実施形態に係る翻訳支援システム１００の構成図である。図に示されるように、本実施形態に係る翻訳支援システム１００は、翻訳支援サーバ１０、翻訳メモリ２０、翻訳支援ＤＢ３０、翻訳者端末４０、校正者端末５０、管理者端末６０を含み構成され、ネットワーク９０を介して相互に接続されている。説明の便宜上、翻訳者端末４０、校正者端末５０、管理者端末６０は、各々１台のみ示すが、いうまでもなくこれらは複数台接続されうる。
【００２７】
翻訳支援サーバ１０は、本実施形態に係る翻訳支援装置であり、翻訳者端末４０、校正者端末５０、管理者端末６０に対して翻訳支援を行うサーバである。上述したように、メーカーが翻訳業者に翻訳業務を発注するに際し、管理者端末６０にて、原文の製作から、翻訳発注、翻訳、校正、納品、最終的な製本、請求に至るまで、マニュアル翻訳業務の一連のプロセスをＷｅｂ上で一元管理できる。
【００２８】
またこれらプロセスにおいて、管理者端末６０に対して翻訳発注の際、納期（翻訳作業スケジュール）の設定・算出を行う。また翻訳者の翻訳者端末４０に対して、翻訳メモリを利用した翻訳機能を提供する。また校正者の校正者端末５０に対して、翻訳校正機能を提供する。本実施形態の翻訳支援サーバ１０は、各端末へのインターフェースとしてＷｅｂを採用しているので、いうまでもなくＷｅｂサーバとしての機能をも当然に備えている。
【００２９】
翻訳メモリ２０は、翻訳者らにより過去に翻訳された翻訳文（翻訳データ）と翻訳対象となった翻訳原文と関連付けて随時蓄積しているＤＢである。翻訳支援サーバ１０は、翻訳メモリ２０に蓄積された翻訳実績から新たに翻訳される翻訳原文とのマッチング（検索）を行い、マッチする過去の翻訳原文があれば、その翻訳原文に関連付いて蓄積されている翻訳文を引当てる。このように、過去に同一又は近似する原文について翻訳を行った翻訳文については、これを翻訳メモリから抽出（引当）・流用し、自動変換させることができ、翻訳者（翻訳者端末４０）は、自動変換されていない箇所のみを新規に翻訳していけばよいため、翻訳を効率化できる。
【００３０】
翻訳支援ＤＢ３０は、今回新たに翻訳されるべき原文のデータ(翻訳原文ファイルという)や、翻訳者に翻訳され校正前後の翻訳文のデータ（多言語ファイルという）、翻訳の進捗状況を管理するデータ、各種テーブル（後述）などを格納する記憶手段である。
【００３１】
翻訳者端末４０は、例えばＰＣ（Personal Computer）のような端末でよく、翻訳者の翻訳業務を行う端末である。翻訳者は翻訳者端末４０を操作して翻訳支援サーバ１０にＷｅｂアクセスし、Ｗｅｂブラウザ上に翻訳用画面を表示させる。翻訳用画面には、新たに翻訳者によって翻訳されるべき原文が表示されるが、上述の翻訳支援サーバ１０の翻訳支援機能により、翻訳メモリ２０に蓄積された翻訳実績から新たに翻訳される原文（入力された原文ファイル）とのマッチング（検索）が行われ、マッチする過去の原文があれば、その原文に関連付いて蓄積されている翻訳文を引当てられたものも表示される。この場合、翻訳用画面には、翻訳メモリから抽出して流用し自動変換された翻訳文流用箇所と、翻訳メモリから流用できずに新規に翻訳が必要とされる新規翻訳箇所とが表示され、翻訳者は、翻訳効率向上の観点から新規翻訳箇所についてのみ翻訳作業を行うことができる。
【００３２】
校正者端末５０は、例えばＰＣのような端末でよく、メーカーの翻訳校正者が校正作業を行う校正用の端末である。校正者は校正者端末５０を操作して翻訳支援サーバ１０にＷｅｂアクセスし、Ｗｅｂブラウザ上に校正用画面を表示させる。校正用画面には、翻訳者に翻訳された翻訳が表示されるので、当該翻訳文を確認し翻訳文の校正作業を行う。また表示される翻訳文は、翻訳メモリから抽出して流用し自動変換された翻訳文流用箇所と、翻訳メモリから流用できずに翻訳者によって新規に翻訳された新規翻訳箇所とが表示されるので、校正効率向上の観点から新規翻訳箇所についてのみ校正作業を行うことができる。
【００３３】
管理者端末６０は、例えばＰＣのような端末でよく、メーカーの翻訳業務の管理を行う担当者用の端末である。担当者は管理者端末６０を操作して翻訳支援サーバ１０にＷｅｂアクセスし、Ｗｅｂブラウザ上に所定の管理画面を表示させ、原文の製作から、発注、翻訳、校正、納品、最終的な製本、請求に至るまで、マニュアル翻訳業務の一連のプロセスをＷｅｂ上で一元管理できる。また管理者端末６０は、翻訳発注段階において、Ｗｅｂブラウザ上の「発注用画面」から翻訳業者に対し発注作業を行えるが、このとき翻訳原文のデータ(原文ファイル)に基づいてシステム上で自動的に納期（翻訳作業スケジュール）が設定されるので、担当者は原則この納期でもって翻訳業者に対し発注を行う。
【００３４】
ネットワーク９０は、例えばインターネット網であり、各装置や端末を相互通信可能に接続するネットワークである。
【００３５】
（ハードウェア）
ここで、翻訳支援サーバ１０のハードウェア構成について簡単に説明しておく。図２は、翻訳支援サーバ１０の一実施形態の主要構成を示すハードウェア構成図である。翻訳支援サーバ１０は、主要な構成として、ＣＰＵ１０１、ＲＯＭ（Read Only Memory）１０２、ＲＡＭ（Random Access Memory）１０３、補助記憶装置１０４、記憶媒体読取装置１０５、入力装置１０６、表示装置１０７、及び通信装置１０８を含む構成である。
【００３６】
ＣＰＵ１０１は、マイクロプロセッサ及びその周辺回路から構成され、装置全体を制御する回路である。また、ＲＯＭ１０２は、ＣＰＵ１０１で実行される所定の制御プログラム（ソフトウェア部品）を格納するメモリであり、ＲＡＭ１０３は、ＣＰＵ１０１がＲＯＭ１０２に格納された所定の制御プログラム（ソフトウェア部品）を実行して各種の制御を行うときの作業エリア（ワーク領域）として使用するメモリである。
【００３７】
補助記憶装置１０４は、汎用のＯＳ（Operating System）、翻訳支援ツール・プログラムを含む各種情報を格納する装置であり、不揮発性の記憶装置であるＨＤＤ（Hard Disk Drive）などが用いられる。上述の翻訳メモリ２０や翻訳支援ＤＢ３０は、この補助記憶装置１０４に構築することもできるし、翻訳支援サーバ１０外部の他の補助記憶装置に構築することもできる。
【００３８】
入力装置１０６は、ユーザが各種入力操作を行うための装置である。入力装置１０６は、マウス、キーボード、表示装置１０７の表示画面上に重畳するように設けられたタッチパネルスイッチなどを含む。表示装置１０７は、各種データを表示画面に表示する装置である。例えば、ＬＣＤ(Liquid Crystal Display)、ＣＲＴ(Cathode Ray Tube)などから構成される。
【００３９】
通信装置１０８は、ネットワークを介して他の機器との通信を行う装置である。有線ネットワークや無線ネットワークなど含む各種ネットワーク形態に応じた通信をサポートする。
【００４０】
（機能）
次に、本実施形態に係る翻訳支援サーバ１０の機能構成についてそれぞれ説明する。
【００４１】
図３は、本実施形態に係る翻訳支援サーバ１０の一実施形態の主要機能を示す機能ブロック図である。翻訳支援サーバ１０は、主要な機能として、マッチ率算出部１１、集計部１２、補正部１３、総ワード数算出部１４、納期設定部１５を有している。また翻訳メモリ２０及び翻訳支援ＤＢ３０を内部（又は外部）に含み構成される。
【００４２】
翻訳メモリ２０は、上述したように翻訳者らにより過去に翻訳された翻訳文２１ｂと翻訳対象となった翻訳原文２１ａと関連付けて随時蓄積されるＤＢである。翻訳支援サーバ１０は、翻訳メモリ２０に蓄積された翻訳実績から新たに翻訳される翻訳原文３１ａとのマッチング（検索）を行い、マッチする過去の翻訳原文２１ａがあれば、その翻訳原文２１ａに関連付いて蓄積されている翻訳文２１ｂを引当てる。このように、過去に同一又は近似する原文について翻訳を行った翻訳文２１ｂについては、これを翻訳メモリから抽出（引当）・流用し、自動変換させることができ、翻訳者（翻訳者端末４０）は、自動変換されていない箇所のみを新規に翻訳していけばよいため、翻訳を効率化できる。
【００４３】
翻訳支援ＤＢ３０は、今回新たに翻訳されるべき翻訳原文３１ａや、翻訳者に翻訳された翻訳文３１ｂ、校正後の校正翻訳文３１ｃのデータ、翻訳の進捗状況を管理するデータ（非図示）、またマッチ率毎に対応する係数値を規定した係数テーブル３２、総ワード数毎に対応する納期日数値を規定した納期テーブル３３などを格納する記憶手段である。このうち翻訳原文３１ａは、翻訳業務発注にあたってメーカーにより予め格納される。また翻訳・校正された後、最終的な成果物である翻訳文３１ｂ・校正翻訳文３１ｃは、今度の翻訳に活用すべく翻訳メモリ２０に対し多言語ファイルとして格納される。翻訳メモリ２０では、当該翻訳文に対応する翻訳原文３１ａ、新規翻訳箇所、翻訳文流用箇所などと関連付けて格納しておく。係数テーブル３２、納期テーブル３３は管理者等により予め格納されるものであるが、詳細は後述する。
【００４４】
マッチ率算出部１１は、翻訳原文（ファイル）３１ａ内の第１文章と、翻訳メモリ２０の過去の翻訳原文２１ａ内の第２文章とを比較し、両文章の一致の程度に応じて、第１文章の第２文章に対するマッチ率を算出する。この点詳細は後述する。
【００４５】
集計部１２は、マッチ率が算出された第１文章内のワード数をカウントすることにより、マッチ率毎のワード数を集計する。
【００４６】
補正部１３は、集計されたマッチ率毎のワード数に対し、係数テーブル３２に規定されたマッチ率毎に対応する係数値を乗算することにより、マッチ率毎のワード数を補正する。
【００４７】
総ワード数算出部１４は、補正されたマッチ率毎のワード数を全て加算することにより、翻訳原文３１ａ内の総ワード数を算出する。
【００４８】
納期設定部１５は、納期テーブル３３から、算出された総ワード数に対応する納期日数値を取得し、該納期日数値を翻訳原文３１ａの翻訳納期として設定する。管理者端末６０は、翻訳発注段階において「発注用画面」から翻訳業者に対し発注作業を行うが、その納期（翻訳作業スケジュール）は、このときシステム上で自動的に設定される。
【００４９】
なおこの他にも、上述の如く本実施形態に係る翻訳支援サーバ１０は、翻訳者端末４０、校正者端末５０、管理者端末６０に対して翻訳支援を行うサーバであるので、メーカーが翻訳業者に翻訳業務を発注するに際し、原文の製作から、翻訳発注、翻訳、校正、納品、最終的な製本、請求に至るまで、マニュアル翻訳業務の一連のプロセスに係る機能を提供できる。例えば、メーカー側の担当者が操作するための管理画面や、翻訳作業を行うための翻訳用画面を生成する機能、翻訳メモリ２０から翻訳文２１ｂを引当てることにより翻訳者への翻訳支援を行う翻訳支援機能、翻訳料・帳票を算出・発行する帳票発行機能、全工程のスケジュールを管理するための管理機能等々である。なお、翻訳支援機能のより詳細に関しては上述の特許文献１、２の翻訳支援装置の有する処理手段を参照できる。
【００５０】
以上説明したこれらの機能は、実際には装置のＣＰ１０１が実行するプログラムにより制御、実現される。
【００５１】
（発注用画面例）
図４は、発注用画面例を示す。メーカーの担当者は翻訳業務を翻訳業者に発注する際、管理者端末６０を操作して翻訳支援サーバ１０にＷｅｂアクセスし、Ｗｅｂブラウザ上に発注用画面を表示させる。担当者は、「発注先」欄から翻訳業者を選択する。次に「翻訳原文」欄に、翻訳を依頼する翻訳原文のファイルを入力する。また「翻訳タイプ」欄に、翻訳元言語の種類と翻訳先言語の種類を入力する。その後、「納期」のうち「自動（推奨）」又は「手動」を選択する。「自動（推奨）」４０１を選択するとシステム上で自動的に納期（翻訳作業スケジュール）が設定され、「手動」を選択すると、担当者が手動で納期を入力・設定する。本実施形態においては、適正な納期を設定すべく「自動（推奨）」４０１を選択するものとする。
【００５２】
（翻訳用画面）
図５は、翻訳用画面の一例を示す。本実施形態に係る翻訳支援システム１００においては、翻訳支援サーバ１０は翻訳段階で翻訳用画面を生成し、翻訳者が翻訳者端末４０を使用して、翻訳文を作成できるようになっている。翻訳者は、翻訳者端末４０の翻訳用画面に表示された翻訳原文３１ａ内の文章と、翻訳メモリ２０の過去の翻訳原文２１ａ内の文章とを比較、流用しながら、翻訳原文に対して翻訳を行う。
【００５３】
編集欄の「翻訳元５０１」には、翻訳元、つまり翻訳対象となった翻訳原文（例えば英語）が表示される（図中、一部のみ抜粋）。本実施形態では、翻訳をセンテンス単位で扱うものとする。「翻訳元match文」５０２には、翻訳メモリ２０に蓄積されている過去の翻訳原文であって、「翻訳元５０１」の翻訳原文とマッチした過去の翻訳原文が表示される。「翻訳先match文」５０３には、翻訳メモリ２０に蓄積されている過去の翻訳文（例えばドイツ語）であって、原文とマッチした過去原文に対応する過去の翻訳文（引当て文）が表示される。
【００５４】
図中、マッチ率（例えば９１％）は、翻訳メモリ２０に蓄積されている過去の翻訳原文と、「翻訳元５０１」の翻訳対象となった翻訳原文との適合率を示す。マッチ率が高いほど、「翻訳先match文」５０３に表示されている過去の翻訳文（引当て文）の翻訳信頼度が高いといえる。またもしもマッチ率が０であれば、翻訳メモリ２０にはマッチする翻訳文（引当て文）が存在しないことを示し、この場合、「翻訳元match文」５０２、「翻訳先match文」５０３には何も表示されない。翻訳者は翻訳時、「翻訳先match文」５０３にマッチ率が高い過去の翻訳文（引当て文）が引き当てられている場合、例えばこのマッチ率が高い過去の翻訳文（引当て文）を翻訳後５０４の欄にコピーし、これを微修正することにより翻訳を簡便に行える。逆にマッチ率が低い過去の翻訳文（引当て文）が引き当てられている場合、これを参考にはしつつも原文の大部分を新たに翻訳する必要がある。
【００５５】
「翻訳後」５０４には、今回の翻訳者によって翻訳対象となった翻訳原文（英語）が翻訳された翻訳文（ドイツ語）が表示される。翻訳者はこの要領で翻訳原文３１ａ内の全文章を翻訳していく。
【００５６】
なお、校正者もまた、翻訳用画面とほぼ同様の校正用画面から校正作業を行うことができる（非図示）。翻訳支援サーバ１０は校正段階で校正用画面を生成し、校正者が校正者端末５０を使用して、校正作業を行えるようになっている。校正者は、校正用画面に表示された翻訳原文３１ａ内の文章と、翻訳メモリ２０の過去の翻訳原文２１ａ内の文章と、今回の翻訳者によって翻訳された翻訳文とを比較、参照しながら、翻訳文に対して校正作業を行える。
【００５７】
（係数テーブル３２）
図６は、係数テーブル３２の一例を示す。係数テーブル３２は上述の如く、管理者等により翻訳支援ＤＢ３０に予め格納されるもので、マッチ率毎に対応する係数値を規定した係数テーブルである。係数テーブル３２により、１のマッチ率（値）から１の係数（値）が一意に取得できる。
【００５８】
補正部１３は、係数テーブル３２を用いて、集計されたマッチ率毎のワード数に対し、係数テーブル３２に規定されたマッチ率毎に対応する係数値を乗算することにより、マッチ率毎のワード数を補正する。従って、係数テーブル３２の係数（値）は、マッチ率毎にワード数を補正するための補正係数ともいえる。
【００５９】
（納期テーブル３３）
図７は、納期テーブル３３の一例を示す。係数テーブル３２は上述の如く、管理者等により翻訳支援ＤＢ３０に予め格納されるもので、総ワード数毎に対応する納期日数値を規定した納期テーブルである。納期テーブル３３により、１のワード数（値）から１の納期（日）が一意に取得できる。なお一般に、１日の翻訳作業量は２０００ワードが目安であるので、本係数テーブル３２の例もその目安を参考に設定した。但し、翻訳者が翻訳する際、ワード数が多くなるにつれ次第に翻訳効率が向上する等や、その他様々な状況を考慮すれば、２０００ワード／１日、２００００ワード／９日というように、テーブル上の納期日数を定めることも可能である。
【００６０】
納期設定部１５は、納期テーブル３３から、総ワード数算出部１４により算出された総ワード数に対応する納期日数値を取得し、該納期日数値を翻訳原文３１ａの翻訳納期として設定する。従って、納期テーブル３３は、最終的な翻訳原文３１ａの補正後のワード数から納期日数を決定するためのものといえる。管理者端末６０は、翻訳発注段階において「発注用画面」（図４）から翻訳業者に対し発注作業を行うが、このときシステム上で自動的に納期（翻訳作業スケジュール）が設定される。
【００６１】
[実施例]
これまで本実施形態のシステム構成全般について説明してきたが、続いて以下、翻訳支援サーバ１０の算出する納期（翻訳作業スケジュール）を算出するための情報処理について説明していく。
【００６２】
図８は、納期算出処理を説明するフローチャートである。図に示されるように納期算出処理は、ステップＳ１〜５からなるもので、以下ステップ毎に説明する。なお本フローチャート実行の具体的な場面としては、管理者端末６０は、翻訳発注段階において「発注用画面」（図４）から翻訳業者に対し発注作業を行う場面である。より具体的には、メーカーの担当者は翻訳業務を翻訳業者に発注する際、管理者端末６０を操作して翻訳支援サーバ１０にＷｅｂアクセスし、Ｗｅｂブラウザ上に発注用画面を表示させる。担当者は、「発注先」欄から翻訳業者を選択し、翻訳を依頼する翻訳原文のファイルを入力する。翻訳原文のファイルを入力後、「納期」のうち「自動（推奨）」を選択するが、「自動（推奨）」４０１を選択すると、本フローチャートに基づく納期算出処理が実行されることにより、システム上で納期が算出され、自動的にその納期が設定される。
【００６３】
（ステップＳ１）
Ｓ１において、マッチ率算出部１１は、翻訳原文３１ａ内の第１文章と、翻訳メモリ２０の過去の翻訳原文２１ａ内の第２文章とを比較し、両文章の一致の程度に応じて、第１文章の第２文章に対するマッチ率を算出する。
【００６４】
「発注用画面」（図４）において、翻訳対象となる翻訳原文のファイルが入力されると、入力された翻訳原文（ファイル）３１ａを読み込む。まず翻訳原文３１ａ内から一つ目の文章を取得し、翻訳メモリ２０の過去の翻訳原文２１ａ内の文章にマッチする文書の有無を検索する。検索自体はマッチ率算出部１１が実施してもよいし、翻訳支援サーバ１０は、別途翻訳メモリ２０から翻訳文２１ｂを引当てることにより翻訳者への翻訳支援を行う翻訳支援機能を有しているので、この機能に委譲してもよい。
【００６５】
翻訳原文３１ａ内から一つ目の文章とマッチする文書が翻訳メモリ２０の過去の翻訳原文２１ａ内から検索されると、併せてそのマッチ率（合致度）を算出する。この点具体的に説明する。
【００６６】
図９は、マッチ率算出例を示す。翻訳対象のマニュアルの翻訳原文には、「This manual uses the following methods.」という文章があったとする。この文章に対し翻訳メモリ２０を引き当てた結果、類似文章として「This manual uses the following symbol.」という文章が検索された。この１文章中の６ワードにおいて、５ワードがマッチ（一致）し、「symbol」という１ワードが一致しない。この場合、この１文章のマッチ率は８３％（=5/6*100）であり、この１文章中には６ワード存在するので、「マッチ率８３％のワードが６ワード存在する」と算出する。そしてこの６ワード「This」、「manual」、「uses」、「the following」、「methods」はマッチ率８３％のワードとなる。以上の要領で翻訳原文３１ａ内の全文章、ワードに対しマッチ率を算出する。
【００６７】
なお翻訳者が翻訳ツールの翻訳用画面（図５）を用いてこの文章を翻訳するとすれば、翻訳メモリ２０から「This manual uses the following symbol.」に対応する過去の翻訳文を取得し、「symbol」という１ワードを「methods」へ翻訳する作業のみで済む。つまり実質上１ワードの翻訳である。しかしながら従来は、６ワードの翻訳であるとして、納期算定に際し、６ワード分の翻訳作業量を見積もっていた。
【００６８】
（ステップＳ２）
Ｓ２において、集計部１２は、翻訳原文３１ａ内の全文章、ワードに対しマッチ率を算出すると、マッチ率が算出されたワード数をカウントすることにより、マッチ率毎のワード数を集計する。
【００６９】
図１０は、マッチ率毎のワード数集計結果例を示す。翻訳対象の翻訳原文３１ａは、複数の章から構成される場合、例えば１章毎に分割し、この各章毎において１章中に含まれるワードを該当するマッチ率毎に振り分けたものである。図例中の第「１章」の場合、その内訳は総ワード数１３５８７のうち、１００％マッチ１５２８（ワード）、９５〜９９％マッチ１３８８、８５〜９４％マッチ８８８、７５〜８４％マッチ１１９１、５０〜７４％マッチ０、ＮＯ  ＭＡＴＣＨ８５９１（４９％以下）である。
【００７０】
（ステップＳ３）
Ｓ３において、補正部１３は、集計されたマッチ率毎のワード数に対し、係数テーブル３２に規定されたマッチ率毎に対応する係数値を乗算することにより、マッチ率毎のワード数を補正する。
【００７１】
図１１は、マッチ率毎のワード数補正例を示す。まず係数テーブル３２（図６）を参照し、マッチ率毎に対応する係数値を取得する（読み出す）。ここでは、マッチ率９５〜９９％の係数「０．３」、マッチ率８５〜９４％の係数「０．６」、マッチ率７５〜８４％の係数「０．６」、マッチ率５０〜７４％の係数「０．８」、マッチ率ＮＯ  ＭＡＴＣＨの係数「１」を取得する。
【００７２】
次に、集計されたマッチ率毎のワード数に対し、マッチ率毎に対応する係数値を乗算することにより、マッチ率毎のワード数を補正する。図例中の第「１章」の場合、マッチ率９５〜９９％のワード数は１３８８であるので、マッチ率９５〜９９％の係数「０．３」を乗算した「４１６」が補正後のワード数である。同様に、マッチ率８５〜９４％のワード数は８８８であるので、マッチ率８５〜９４％の係数「０．６」を乗算した「５３３」が補正後のワード数である。同様に、マッチ率７５〜８４％のワード数は１１９１であるので、マッチ率７５〜８４％の係数「０．６」を乗算した「７１５」が補正後のワード数である。但しマッチ率５０〜７４％のワード数は０、マッチ率ＮＯ  ＭＡＴＣＨの係数は「１」であるので、補正前後のワード数に変化はない。
【００７３】
同様の要領で、第「２章」、第「３章」についてもマッチ率毎にワード数の補正を行っていくと、図１１に示される通りになる。なお翻訳対象となった翻訳原文において、マッチ率１００％のワードは過去の翻訳原文と完全一致しているワードであるので、その過去の翻訳原文と対応して蓄積されている過去の翻訳文（引当て文）をそのまま翻訳文として再利用できる。従ってマッチ率１００％のワードは完全に翻訳メモリ２０から過去の翻訳文を流用できそのため翻訳作業は一切発生しないことから、納期を算定する際のワード数（翻訳作業量）のカウントから除外する。つまり納期算定に考慮しない。
【００７４】
（ステップＳ４）
Ｓ４において、総ワード数算出部１４は、補正されたマッチ率毎のワード数を全て加算することにより、翻訳原文３１ａ内の総ワード数（補正後のもの）を算出する。
【００７５】
図１２は、マッチ率毎の補正後のワード数例を示す。Ｓ３及び図１１において、章毎のマッチ率毎にワード数が補正された。Ｓ４では、翻訳原文３１ａ内の総ワード数を算出するので、まず「１章」の総ワード数は「１００９１」、「２章」の総ワード数は「７６６４」、「３章」の総ワード数は「７２５１」というように章毎の総ワード数を算出し、これらを全加算することにより、入力された翻訳原文（ファイル）３１ａ内の総ワード数は「２５００９」と算出できる。
【００７６】
なお、翻訳原文３１ａ内の現実の総ワード数は、「２５００９」よりも大きい数値であるが、Ｓ３の補正により係数が乗算されたため、現実の総ワード数よりも小さい数値に補正されていることになる。しかしながらこの補正後の総ワード数は、翻訳作業が必要なワードのみをカウントしているので、納期算定においては、現実の総ワード数よりも妥当な数値である。一方現実の総ワード数は、翻訳作業が不要又は労を要しないワードも含みカウントされている。
【００７７】
（ステップＳ５）
Ｓ５において、納期設定部１５は、納期テーブル３３から、算出された総ワード数に対応する納期日数値を取得し（読み出し）、該納期日数値を翻訳原文３１ａの翻訳納期として設定する。まず納期テーブル３３（図７）を参照し、Ｓ４で算出した総ワード数に対応する納期日数値を取得する。ここでは総ワード数は「２５００９」（個）であるので、これに対応する納期として「１３」（日）を取得し、図４の「自動（推奨）」４０１に対し、「１３」（日）を納期として出力・設定する。
【００７８】
以上のように、本実施形態に係る翻訳支援サーバ１０は、翻訳作業の納期算定において、ワード数（翻訳作業量）に基づき納期を算定する際、翻訳メモリ２０からの翻訳流用の可否を考慮しながら翻訳対象となる翻訳原文（ファイル）３１ａ内の総ワード数を補正することにより、翻訳作業が必要なワードのみを算出し、この補正後の総ワード数に基づき納期を算定するので、より適正な納期を算定することが可能である。
【００７９】
一方、従来においては、ワード数（翻訳作業量）に基づき納期を算定する際、翻訳メモリ２０を用いれば、全く翻訳作業が不要なワードも存在するにも拘らず、単純に翻訳原文（ファイル）３１ａ内に存在する現実の総ワード数に基づき納期を算定していたため、本実施形態を適用する場合に比べ、過剰な納期が算定されがちであった。
【００８０】
翻訳者は翻訳メモリを搭載した翻訳ツールを用い翻訳作業を行うと、翻訳メモリからある程度の過去の翻訳文を抽出（引当）・流用でき自動変換させることができるため、そのような部分については翻訳の労力を要さず、翻訳者は自動変換されていない箇所のみを新規に翻訳していけばよい。従ってこの場合、本実施形態に係る翻訳支援サーバ１０によれば、実質的な翻訳者の作業量を考慮できるため、より適正な納期を設定できる。
【００８１】
[実施例２]
係数テーブル３２の係数の見直しについて説明する。係数テーブル３２は上述の如く、管理者等により翻訳支援ＤＢ３０に予め格納され、その係数（値）についても例えば予め経験則等に基づき決定されている値である。そのため、翻訳実績（納入実績）の蓄積が進むにつれ経験値も蓄積されることから、係数テーブル３２の係数についても蓄積に伴い見直していくことにより、より精度の高い係数を決定し、ひいては精度の高い納期を設定できるようになる。
【００８２】
図１３は、納入実績記録例を示す。翻訳作業が完了し翻訳業者から翻訳文が納入されると、翻訳支援サーバ１０の全工程のスケジュールを管理する管理機能等によりフィードバックされ、その記録が翻訳支援ＤＢ３０に蓄積され格納される。
【００８３】
図に示されるように、翻訳対象となった翻訳原文毎に、補正後のマッチ率毎のワード数、設定納期、実績納期、翻訳会社、翻訳元言語、翻訳先言語等々が、納入実績として記録されている。このうち「設定納期」は、上述の実施形態に基づきシステム上設定された納期を示し、「実績納期」は実際に翻訳会社から納入された納期を示す。
【００８４】
ここで「マニュアルＡ」を見ると、「設定納期」は１３日、「実績納期」は１１日であるので、Ａ翻訳会社は２日早い納入を行っていたことがわかる。また「マニュアルＢ」を見ると、「設定納期」は２６日、「実績納期」は２３日であるので、Ａ翻訳会社は３日早い納入を行っていたことがわかる。このように実績を重ねてくると、Ａ翻訳会社はシステム上で設定された納期よりも平均しても早い納期で納入してくることができているため、「設定納期」をもう少し短縮設定できる、または「設定納期」をもう少し短縮したものが適切であると考えられる。よってこの場合、係数を小さくなるよう見直すことができる。
【００８５】
一方、「マニュアルＣ」を見ると、「設定納期」は８日、「実績納期」は１２日であるので、Ｂ翻訳会社は４日遅い納入を行っていたことがわかる。また「マニュアルＤ」を見ると、「設定納期」は１３日、「実績納期」は１７日であるので、Ｂ翻訳会社は４日遅い納入を行っていたことがわかる。このように実績を重ねてくると、Ｂ翻訳会社はシステム上で設定された納期よりも平均しても遅れて納期で納入しているため、この納期には無理があり「設定納期」をもう少し長く設定した方が適切であると考えられる。よってこの場合、係数を大きくなるよう見直すことができる。
【００８６】
翻訳支援サーバ１０は、係数テーブル３２を定期的に参照し、「設定納期」と「実績納期」の差分を確認する（「設定納期」−「実績納期」）。例えば差分平均が所定閾値の例えば＋３（日）以上になっていれば、係数を小さくなるよう見直す。逆に、例えば差分平均が所定閾値の−３（日）以上になっていれば、係数を大きくなるよう見直す（修正する）。
【００８７】
（変形例）
係数テーブル３２は、翻訳実績が相当数になってくると、個々の翻訳案件や翻訳会社に依存せず、その差分平均も信頼性の高いものとなっていくため、納期算定時、全ての翻訳案件を対象にして、上述の実施形態のように１のテーブルを用い、そしてまた見直しを行うことができる。
【００８８】
しかし変形例として、係数つまり係数テーブル３２は「翻訳会社」によって設けられ、また見直すことも可能である。つまり上述のように、Ａ翻訳会社の翻訳には定評がありそのため納期も早いことが納入実績から把握されれば、Ａ翻訳会社用にのみ用いる係数テーブル３２を準備することができる。
【００８９】
図１４は、翻訳会社毎の係数テーブル３２例を示す。図に示されるように、係数テーブル３２は、翻訳会社毎に設けられる。Ａ翻訳会社には、Ａ翻訳会社用の係数テーブル３２ａを用いる。またこのＡ翻訳会社用の係数テーブル３２ａは、Ａ翻訳会社の翻訳実績に応じて見直されることになる。
【００９０】
具体的には、係数テーブル３２（図６）を参照し、現行の係数は、マッチ率９５〜９９％の係数「０．３」、マッチ率８５〜９４％の係数「０．６」、マッチ率７５〜８４％の係数「０．６」、マッチ率５０〜７４％の係数「０．８」、マッチ率ＮＯ  ＭＡＴＣＨの係数「１」となっている。Ａ翻訳会社用の係数テーブル３２ａにおいて、係数を小さくなるよう見直す場合、これを例えば、マッチ率９５〜９９％の係数「０．２」、マッチ率８５〜９４％の係数「０．５」、マッチ率７５〜８４％の係数「０．５」、マッチ率５０〜７４％の係数「０．７」と見直すことにより、システム上、現行のよりも短縮された「設定納期」が設定される。
【００９１】
逆に、Ｂ翻訳会社用の係数テーブル３２ｂにおいて、係数を大きくなるよう見直す場合、これを例えば、マッチ率９５〜９９％の係数「０．４」、マッチ率８５〜９４％の係数「０．７」、マッチ率７５〜８４％の係数「０．７」、マッチ率５０〜７４％の係数「０．９」と見直すことにより、システム上、現行のよりも延長された「設定納期」が設定される。
【００９２】
図１５は、翻訳言語毎の係数テーブル３２例を示す。係数はまた、「翻訳元言語」及び「翻訳先言語」によっても見直すことができる。また例えばフランス語翻訳は、フランス語翻訳の特有の事情等によりドイツ語ほど早く翻訳することは難しく、この場合ドイツ語と同じ係数を用いて納期を設定すべきでないことから、翻訳言語毎に用いる係数テーブル３２を準備することができる。つまり翻訳言語が英語からフランス語であるときには、英語フランス語用の係数テーブル３２ｆを用いる。またこの英語フランス語用の係数テーブル３２ｆは、英語からフランス語への翻訳実績に応じて見直される。
【００９３】
以上のように、本実施形態に係る翻訳支援サーバ１０は、翻訳実績（納入実績）の蓄積が進むにつれ、この翻訳実績に基づき、係数テーブル３２の係数についても蓄積に伴い見直していくことにより、より精度の高い係数を決定し、ひいては精度の高い納期を設定できるようになる。また係数テーブル３２については、翻訳会社毎、翻訳言語毎のそれぞれのテーブルを設けることにより、翻訳実績に基づく経験則から翻訳会社毎、翻訳言語に適切な係数を使用できるため、ひいては精度の高い納期を設定できるようになる。
【００９４】
以上、本発明によれば、翻訳メモリから過去の翻訳文を抽出（引当）・流用可能な翻訳ツールを用いた翻訳作業の適正な納期、翻訳作業スケジュールを設定・算出する翻訳支援装置等を提供することが可能となる。
【００９５】
なお、本発明は係る特定の実施形態に限定されるものではなく、特許請求の範囲に記載された本発明の要旨の範囲内において、種々の変形・変更が可能である。
【符号の説明】
【００９６】
１０        翻訳支援サーバ
１１        マッチ率算出部
１２        集計部
１３        補正部
１４        総ワード数算出部
１５        納期設定部
２０        翻訳メモリ
２１ａ    翻訳原文
２２    ｂ    翻訳文
３０        翻訳支援ＤＢ
３１ａ    翻訳原文
３１ｂ    翻訳文
３２ｃ    校正翻訳文
３２        係数テーブル
３３        納期テーブル
４０        翻訳者端末
５０        校正者端末
６０        管理者端末
９０        ネットワーク
１００    翻訳支援システム
１０１    ＣＰＵ
１０２    ＲＯＭ
１０３    ＲＡＭ
１０４    補助記憶装置
１０５    記憶媒体読取装置
１０６    入力装置
１０７    表示装置
１０８    通信装置
【先行技術文献】
【特許文献】
【００９７】
【特許文献１】特許３７７１１５９号
【特許文献２】特許４０４９２９９号
【図１】
2012181571.tif 000003
【図２】
2012181571.tif 000004
【図３】
2012181571.tif 000005
【図４】
2012181571.tif 000006
【図５】
2012181571.tif 000007
【図６】
2012181571.tif 000008
【図７】
2012181571.tif 000009
【図８】
2012181571.tif 000010
【図９】
2012181571.tif 000011
【図１０】
2012181571.tif 000012
【図１１】
2012181571.tif 000013
【図１２】
2012181571.tif 000014
【図１３】
2012181571.tif 000015
【図１４】
2012181571.tif 000016
【図１５】
2012181571.tif 000017